(57)【要約】      （修正有）【課題】着脱が容易であり、かつ、接着時の接着力が強くて弱い引き剥がし力が働いただけでは容易に剥がれず、かつ、十分な防水性を備えた名札等のカード入れを提供する。【解決手段】名札等のカード入れＡは、ループ生地Ｂ１を有する被着体Ｂに対して該ループ生地Ｂ１に着脱自在なカード入れであって、表面部材と、該表面部材と同一大の裏面部材２０とを重ね合わせ、開口部を除いてカード収納部の周囲を接着してなり、表面部材は、矩形の防水性透明シート１１の外周縁に額縁状枠体１２を接着したものであってその一部が透視可能であり、裏面部材２０は、防水性シート２１とその外面全体に接着した面ファスナーのフック側生地２２よりなることを特徴とする。【選択図】図６
0003161459.tif 000002
【実用新案登録請求の範囲】
【請求項１】
ループ生地を有する被着体に対して該ループ生地に着脱自在な名札等のカード入れであって、
表面部材と、該表面部材と同一大の裏面部材とを重ね合わせ、開口部を除いてカード収納部の周囲を接着してなり、
表面部材は、その一部又は全部が透視可能であり、
裏面部材は、その外面全体が面ファスナーのフック側生地よりなる
ことを特徴とする名札等のカード入れ。
【請求項２】
表面部材が、防水性透明シートとその外面に接着した額縁状枠体とからなることを特徴とする請求項１に記載の名札等のカード入れ。
【請求項３】
裏面部材が、防水性シートとその外面に接着した面ファスナーのフック側生地とからなることを特徴とする請求項１又は２に記載の名札等のカード入れ。
【請求項４】
ループ生地を有する被着体に対して該ループ生地に着脱自在な名札等のカード入れであって、
矩形の防水性透明シートの外周縁に、前記防水性透明シートと同一大で内部が欠如した額縁状枠体を重ね合わせて接着した表面部材に、前記防水性透明シートと同一大の防水性シートと面ファスナーのフック側生地とを重ね合わせて少なくともその１辺を縫着した裏面部材を重ね合わせ、前記縫着した１辺を除く３辺を縫着してなることを特徴とする名札入れ等のカード入れ。
【請求項５】
ループ生地を有する被着体に対して該ループ生地に着脱自在な名札等のカード入れであって、
矩形の防水性透明シートよりなる表面部材に、前記防水性透明シートと同一大の防水性シートと面ファスナーのフック側生地とを重ね合わせて少なくともその１辺を縫着した裏面部材を重ね合わせて前記縫着した１辺を除く３辺を縫着し、前記表面部材の外周縁に、表面部材と同一大で内部が欠如した額縁状枠体を重ね合わせて接着してなることを特徴とする名札入れ等のカード入れ。
【考案の詳細な説明】
【技術分野】
【０００１】
本考案は、名札等のカードを収納して掲示することができる名札等のカード入れに関し、特に衣類やかばん・袋物その他の物品に着脱可能な名札等のカード入れに関する。以下、本明細書においては「名札等のカード入れ」を単に「カード入れ」という。
【背景技術】
【０００２】
従来より、下記特許文献に示されるような種々のカード入れが提案されている。
【先行技術文献】
【特許文献】
【０００３】
【特許文献１】特開２００２−２１５０３５号公報
【特許文献２】特開２００６−２０１２００号公報
【特許文献３】特開２００２−３３３８３６号公報
【考案の概要】
【考案が解決しようとする課題】
【０００４】
しかしながら、上記各特許文献に記載のカード入れは、着脱可能であっても部分接着であることなどにより接着力が弱いために、弱い引き剥がし力が働いただけでも剥がれ落ちるおそれのあるものであるか又は着脱の操作が面倒なものであったり、また、防水性が不十分なものであった。
【０００５】
そこで、本考案者は、鋭意研究を重ねた結果、着脱が容易であり、かつ、接着時の接着力が強くて弱い引き剥がし力が働いただけでは容易に剥がれず、かつ、十分な防水性を備えたカード入れを開発した。
【課題を解決するための手段】
【０００６】
本考案に係るカード入れは、ループ生地を有する被着体に対して該ループ生地に着脱自在なカード入れであって、表面部材と、該表面部材と同一大の裏面部材とを重ね合わせ、開口部を除いてカード収納部の周囲を接着してなり、表面部材は、その一部又は全部が透視可能であり、裏面部材は、その外面全体が面ファスナーのフック側生地よりなることを特徴とするものである。
【０００７】
上記のように構成したことにより、本考案に係るカード入れは、その裏面部材の外面全体が面ファスナーのフック側生地よりなるので、ループ生地を有する被着体に対してフック側生地とループ生地との絡合により全面接着する。そのため、本考案に係るカード入れは、接着時の接着力が強いので、弱い引き剥がし力が働いただけでは被着体から容易に剥がれず、仮に一部が剥がれかけたとしても、ほとんどの部分が接着されているので脱落するおそれがなく、しかも剥がれかけた部分をループ生地側に軽く押さえるだけで再び全面接着する。
【０００８】
また、上記表面部材が、防水性透明シートとその外面に接着した額縁状枠体とからなる構成としてもよい。このように構成した場合には、カード入れの表面側から雨滴等の液体がカード収納部に浸入しないので、カード入れに収納されている名札等のカードが汚損することがない。また、額縁状枠体が防水性透明シートの外面に接着されているので、カード入れを他の物品に擦りつけるようなことがあっても、防水性透明シートは当該物品に接触するおそれが少ないので、防水性透明シートの外面に擦り傷がつくのを防ぐことができる。
【０００９】
さらに、上記裏面部材が、防水性シートとその外面に接着した面ファスナーのフック側生地とからなる構成としてもよい。このように構成した場合には、カード入れの裏面側から汗等の液体がカード収納部に浸入しないので、カード入れに収納されている名札等のカードが汚損することがない。
【００１０】
また、本考案に係るカード入れは、ループ生地を有する被着体に対して該ループ生地に着脱自在な名札等のカード入れであって、矩形の防水性透明シートの外周縁に、前記防水性透明シートと同一大で内部が欠如した額縁状枠体を重ね合わせて接着した表面部材に、前記防水性透明シートと同一大の防水性シートと面ファスナーのフック側生地とを重ね合わせて少なくともその１辺を縫着した裏面部材を重ね合わせ、前記縫着した１辺を除く３辺を縫着してなる構成としてもよい。
【００１１】
さらに、本考案に係るカード入れは、ループ生地を有する被着体に対して該ループ生地に着脱自在な名札等のカード入れであって、矩形の防水性透明シートよりなる表面部材に、前記防水性透明シートと同一大の防水性シートと面ファスナーのフック側生地とを重ね合わせて少なくともその１辺を縫着した裏面部材を重ね合わせて前記縫着した１辺を除く３辺を縫着し、前記表面部材の外周縁に、表面部材と同一大で内部が欠如した額縁状枠体を重ね合わせて接着してなる構成としてもよい。
【考案の効果】
【００１２】
上記のように構成した本考案に係るカード入れは、ループ生地を有する衣服等に対して着脱が容易であり、かつ、接着時の接着力が強いため、弱い引き剥がし力が働いただけでは容易に剥がれず、かつ、防水性が十分であり、収納されている名札等のカードが汚損することがない。
【図面の簡単な説明】
【００１３】
【図１】カード入れの構成を説明する分解斜視図である。
【図２】カード入れの完成斜視図である。
【図３】表面部材の構成を説明する分解斜視図である。
【図４】裏面部材の構成を説明する分解斜視図である。
【図５】カード入れにカードを収納する状態を示す斜視図である。
【図６】カードを収納したカード入れを被着体に接着しようとする状態を示す斜視図である。
【図７】カードを収納したカード入れを被着体に接着した状態を示す斜視図である。
【考案を実施するための形態】
【００１４】
以下に、本考案に係るカード入れの実施例を添付の図面に基づいて詳細に説明する。
【実施例１】
【００１５】
本実施例に係るカード入れＡは、図１に示すように表面部材１０と裏面部材２０とから構成される。表面部材１０は裏面部材２０と同一大の大きさであり、過不足なく重ね合わせることができる。そして、表面部材１０と裏面部材２０とを重ね合わせ、図２に示すように開口部Ｐを除いてカード収納部Ｑの周囲を接着してカード入れＡが構成される。
【００１６】
表面部材１０は、その一部又は全部が透視可能である。すなわち、表面部材１０は、図３に示すように防水性透明シート１１とその外面に接着した額縁状枠体１２とから構成される。さらに詳しくは、表面部材１０は、矩形の防水性透明シート１１の外周縁に、前記防水性透明シート１１と同一大で内部が欠如した額縁状枠体１２を重ね合わせて、図１に示すように接着して構成されている。このように構成しているので、カード入れＡの表面側から雨滴等の液体がカード収納部Ｐに浸入しないので、カード入れＡに収納されている名札等のカードが汚損することがない。また、額縁状枠体１２が防水性透明シート１１の外面に接着されているので、カード入れＡを他の物品に擦りつけるようなことがあっても、防水性透明シート１１は当該物品に接触するおそれが少ないので、防水性透明シート１１の外面に擦り傷がつくのを防ぐことができる。
【００１７】
裏面部材２０は、その外面全体が面ファスナーのフック側生地よりなる。すなわち、図４に示すように防水性シート２１とその外面に接着した面ファスナーのフック側生地２２とから構成される。さらに詳しくは、裏面部材２０は、前記防水性透明シート１１と同一大の防水性シート２１と面ファスナーのフック側生地２１とを重ね合わせて、図１に示すようにその対向する２辺ａ，ｃを縫着して構成されている。このように構成した場合には、カード入れの裏面側から汗等の液体がカード収納部に浸入しないので、カード入れに収納されている名札等のカードが汚損することがない。
【００１８】
そして、上記の表面部材１０と裏面部材２０とを、前記縫着した２辺ａ，ｃのうちの１辺ａを除く３辺ｂ，ｃ，ｄを図２に示すように縫着してカード入れＡが構成される。図５は、完成したカード入れＡに、開口部Ｐからカードを収納しようとする状態を示す。
【００１９】
上記のように構成したことにより、本実施例に係るカード入れＡは、その裏面部材２０の外面全体が面ファスナーのフック側生地２２よりなるので、図６及び図７に示すようにループ生地Ｂ１を有する被着体Ｂに対して全面接着する。そのため、本実施例に係るカード入れＡは、接着時の接着力が強いので、弱い引き剥がし力が働いただけでは被着体Ｂから容易に剥がれず、仮に一部が剥がれかけたとしても、ほとんどの部分が接着されているので脱落するおそれがなく、しかも剥がれかけた部分を軽く押さえるだけで再び全面接着する。
【００２０】
なお、本実施例においては、表面部材１０及び裏面部材２０について矩形のものを採用しているがそれに限られるものではない。
【００２１】
また、表面部材１０を防水性透明シート１１のみから構成し、前記裏面部材２０を縫着した後に、額縁状枠体１２を防水性透明シート１１に接着してカード入れを構成してもよい。すなわち、矩形の防水性透明シート１１よりなる表面部材１０に対して、前記防水性透明シート１１と同一大の防水性シート２１と面ファスナーのフック側生地２２とを重ね合わせてその２辺ａ，ｃを縫着した裏面部材２０を重ね合わせる。そして、前記縫着した２辺ａ，ｃのうち１辺ａを除く３辺ｂ，ｃ，ｄを縫着し、その後に、前記表面部材１０の外周縁に、表面部材１０と同一大で内部が欠如した額縁状枠体１２を重ね合わせて接着して構成してもよい。この場合には、額縁状枠体１２が縫い目を被覆するため額縁状枠体１２から縫い目が露出しないので、体裁がよい上に、カード入れＡが他の物品に接触しても縫い目がすり切れるおそれがない。
【００２２】
上記のように構成した本実施例に係るカード入れＡは、ループ生地Ｂ１を有する衣服等の被着体Ｂに対して着脱が容易であり、かつ、接着時の接着力が強いため、弱い引き剥がし力が働いただけでは容易に剥がれず、かつ、防水性が十分であり、収納されている名札等のカードが汚損することがない。
【符号の説明】
【００２３】
Ａ・・・・カード入れ
Ｂ・・・・被着体
Ｂ１・・・ループ生地
Ｐ・・・・開口部
Ｑ・・・・カード収納部
ａ，ｂ，ｃ，ｄ・・・・矩形の各辺
１０・・・表面部材
１１・・・防水性透明シート
１２・・・額縁状枠体
２０・・・裏面部材
２１・・・防水性シート
２２・・・面ファスナーのフック側生地
【図１】
0003161459.tif 000003
【図２】
0003161459.tif 000004
【図３】
0003161459.tif 000005
【図４】
0003161459.tif 000006
【図５】
0003161459.tif 000007
【図６】
0003161459.tif 000008
【図７】
0003161459.tif 000009